(57)【要約】      （修正有）【課題】ディスプレイ装置に適応される、画質ムラを改善する配線方法を提供する。【解決手段】前記ディスプレイ装置は、複数個のピクセル406と412と複数個の制御回路408と414を有し、前記複数個のピクセルと前記複数個の制御回路は複数個のゾーンに分けられ、各ゾーンにおける複数本のデータラインは、複数本の映像入力ラインに接続する。この配線方法の特徴は、前記ゾーンにおける互いに隣接する前ゾーンと後ゾーンの間で、前ゾーンにおける前記データライン中の一番後ろの１本が接続する前記映像入力ライン中の１本と、後ゾーンにおける前記データライン中の一番前の１本が接続する前記映像入力ライン中の１本が、互いに近い位置にあるという点にある。したがって、隣接したゾーン間の映像入力ラインの荷重差がそれほど大きくないため、前記配線方法によって映像画面のムラを改善することができる。【選択図】図４
2004354687.tif 000002
【特許請求の範囲】
【請求項１】
複数個のピクセルおよび複数個の制御回路を有し、前記複数個のピクセルおよび前記複数個の制御回路が複数個のゾーンに分けられ、各前記ゾーンにおける複数本のデータラインが複数本の映像入力ラインに接続される液晶ディスプレイの制御回路において、前記複数個のゾーンのうち、互いに隣接する前ゾーンと後ゾーンの間で、前記前ゾーンにおける前記データラインの一番後ろの１ラインが連結する前記映像入力ライン中の１ラインと、前記後ゾーンにおける一番前のデータラインが連結する前記映像入力ライン中の別の１ラインが、互いに近い位置にあることを特徴とする画質を改善する配線方法。
【請求項２】
前記前ゾーンにおける前記データラインの一番後ろの１ラインが連結する前記映像入力ライン中の１ラインと、前記後ゾーンにおける一番前のデータラインが連結する前記映像入力ライン中の別の１ラインが隣接することを特徴とする請求項１に記載の画質を改善する配線方法。
【請求項３】
前記複数本のデータラインの数と前記複数本の映像入力ラインの数が等しいことを特徴とする請求項１に記載の画質を改善する配線方法。
【請求項４】
前記複数個のゾーンの数が、前記複数個のピクセルの数、および前記複数本の映像入力ラインの数によって決まることを特徴とする請求項１に記載の画質を改善する配線方法。
【発明の詳細な説明】
【０００１】
【発明の属する技術分野】
本発明は、映像の配線方法に関するものであり、特に画質を改善する配線方法に関するものである。
【０００２】
【従来の技術】
人類が最初に目にした動画は、記録フィルム形態の映画であった。その後、陰極線管（Ｃａｔｈｏｄｅ  Ｒａｙ  Ｔｕｂｅ、略称ＣＲＴ）の発明により、商業化されたテレビが生まれ、全ての家庭の必須家電アイテムとなった。科学技術の進歩にともない、ＣＲＴの応用もまたコンピュータ産業における卓上型モニタにまで拡大し、ＣＲＴの繁栄は数十年にわたって続いた。しかし、ＣＲＴによって製造された各種ディスプレイ装置には、放射線の問題があり、また、内部の電子銃構造のため、ディスプレイ装置の体積が大きくなり、スペースをとるという問題もあった。このため、ＣＲＴは、薄型・軽量化に不利であった。
【０００３】
以上の問題から、研究者は、いわゆるフラットパネルディスプレイ（ＦｌａｔＰａｎｅｌ  Ｄｉｓｐｌａｙ）の開発に着手した。なお、この分野には、液晶ディスプレイ（Ｌｉｑｕｉｄ  Ｃｒｙｓｔａｌ  Ｄｉｓｐｌａｙ、略称ＬＣＤ）、電界放出ディスプレイ（Ｆｉｅｌｄ  Ｅｍｉｓｓｉｏｎ  Ｄｉｓｐｌａｙ、略称ＦＥＤ）、有機発光ダイオード（Ｏｒｇａｎｉｃ  Ｌｉｇｈｔ  Ｅｍｉｔｔｉｎｇ  Ｄｉｏｄｅ、略称ＯＬＥＤ）、およびプラズマディスプレイパネル（Ｐｌａｓｍａ  Ｄｉｓｐｌａｙ  Ｐａｎｅｌ、略称ＰＤＰ）が含まれる。このうち、液晶ディスプレイが最も注目を引き、薄型化、軽量化、小・中・大型化といった特性を有し、今日および新世代の携帯型無線通信およびネットワークの技術に適合するものである。
【０００４】
液晶ディスプレイの場合、映像の配線方法が画質を決定する重要な要素となる。ここで、図１を参照されたい。これは、液晶ディスプレイの配線構造を示したものである。図１から、液晶ディスプレイ１０が、データライン駆動回路１０２、スキャンライン駆動回路１０４、データライン１０６、およびスキャンライン１０８を含み、各データラインと各スキャンラインの交差ポイントが１つのピクセル（ｐｉｘｅｌ）を構成することが分かる。また、図１からは、プリント回路板１２上の特定用途向け集積回路（ａｐｐｌｉｃａｔｉｏｎ  ｓｐｅｃｉｆｉｃｉｎｔｅｇｒａｔｅｄ  ｃｉｒｃｕｉｔ、略称ＡＳＩＣ）１４が、映像入力ライン１６を介して、データライン１０６に接続することにより、液晶ディスプレイ１０を駆動することも分かる。さらに、映像入力ライン１６がデータライン１０６に接続する配線方法は、液晶ディスプレイ１０の画質に影響する。映像入力ライン１６の数が増えた場合、映像入力ライン１６の配線の電気抵抗と電気容量を掛けた値〔積〕（ＲＣという）が非常に重要となり、特定用途向け集積回路１４の駆動能力に大きく影響し、かつ特定用途向け集積回路の電力消費にも影響する。また、映像入力ライン１６の数が増えた場合、映像入力ライン１６の間の過重差も非常に重要となり、映像のムラが生じることになる。
【０００５】
続いて、図２を参照されたい。これは、公知の映像の配線図である。図２において、映像入力ラインは合計ｎ本、液晶ディスプレイは、単一ゾーンのピクセル２０２、制御回路２０４、およびｎ本のデータラインからなる。図２から、データラインが、順序どおりに映像入力ラインと接続されること、即ち、１本目のデータラインは１本目の映像入力ラインに接続され、２本目のデータラインは２本目の映像入力ラインに接続され、ｎ本目のデータラインはｎ本目の映像入力ラインに接続されるということが分かる。ここで、説明を要するのは、図２において、データラインは、逆の順序で映像入力ラインに接続することも可能だということである。即ち、１本目のデータラインをｎ本目の映像入力ラインに接続し、２本目のデータラインをｎ−１本目の映像入力ラインに接続し、ｎ本目のデータラインを１本目の映像入力ラインに接続するということも可能なのである。さらに、図２からは、１本目の映像入力ラインの交差（ｃｒｏｓｓ  ｏｖｅｒｌａｐ）回数が０回、２本目の映像入力ラインの交差回数が１回、３本目の映像入力ラインの交差回数が２回、即ちｎ本目の映像入力ラインの交差回数が（ｎ−１）回になることが分かる。ラインの交差について言えば、１つの交差によって１つの交差容量が生じる。また、映像入力ラインの交差容量が大きくなるほど、特定用途向け集積回路は、これを駆動しにくくなる。この公知の配線方法について言えば、それぞれの映像入力ラインの交差回数が異なるため、それぞれの映像入力ラインの荷重および交差容量が異なる。したがって、特定用途向け集積回路は、それぞれ異なる駆動能力によって、各映像入力ラインを駆動する必要がある。
【０００６】
公知の別の映像配線について、図３を参照されたい。図３において、映像入力ラインは合計ｎ本、液晶ディスプレイは、複数個のピクセルと複数の制御回路からなり、前記複数個のピクセルと前記複数個の制御回路は、第１ゾーン３０２から第ｍゾーン３０４（ｍ：正数）に分かれる。ここで、第１ゾーン３０２は、第１ゾーン・ピクセル３０６、第１制御回路３０８、およびｎ本（ｎ：正数）のデータライン３１０からなる。同様に、第ｍゾーン３０４は、第ｍゾーン・ピクセル３１２、第ｍ制御回路３１４、およびｎ本のデータライン３１６からなる。１／４共同中間フォーマット（ｑｕａｒｔｅｒ  ｃｏｍｍｏｎ  ｉｎｔｅｒｍｅｄｉａｔｅ  ｆｏｒｍａｔ、略称ＱＣＩＦ）について言えば、映像入力ラインがｎ本のとき、ゾーンの数はｍ（＝１７６×３／ｎ）となる。
【０００７】
図３から、各ゾーンにおけるデータラインが逆の順序で映像入力ラインと接続されている、即ち、ｎ本目のデータラインが１本目の映像入力ラインに接続され、ｎ−１本目のデータラインが２本目の映像入力ラインに接続され、１本目のデータラインがｎ本目の映像入力ラインに接続されていることが分かる。また、ここで説明を要するのは、図３において、各ゾーンのデータラインを順序どおりに映像入力ラインと接続する、即ち、１本目のデータラインを１本目の映像入力ラインと接続し、２本目のデータラインを２本目の映像入力ラインと接続し、ｎ本目のデータラインをｎ本目の映像入力ラインと接続することもできるということである。さらに、図３からは、１本目の映像入力ラインの交差回数が０回、２本目の映像入力ラインの交差回数が１×ｍ回、３本目の映像入力ラインの交差回数が２×ｍ回、即ち、ｎ本目の映像入力ラインの交差回数が（ｎ−１）×ｍ回だということも分かる。
【０００８】
【特許文献１】
特開平１０−２３９６５５号公報
【０００９】
【発明が解決しようとする課題】
このような公知の配線方法について見ると、各映像入力ラインの交差回数が異なるため、各映像入力ラインの荷重と交差容量が異なる。したがって、特定用途向け集積回路は、それぞれ異なる駆動能力によって各映像入力ラインを駆動する必要がある。また、互いに隣接する前ゾーンと後ゾーンの間において、前ゾーンのｎ本目のデータラインは、１本目の映像入力ラインに接続され、後ゾーンの１本目のデータラインは、ｎ本目の映像入力ラインに接続されるが、両者の交差回数の差が大きすぎるため、互いに隣接するゾーンに現れる映像に間隙（ｇａｐ）が生じ、画質に大きく影響する。
【００１０】
【課題を解決するための手段】
上記に鑑み、本発明では、画質を改善する配線方法を提供する。本発明の特徴は、隣接し合う前ゾーンと後ゾーンの間において、前ゾーンにおける一番後ろのデータラインが連結する映像入力ラインと、後ゾーンにおける一番前のデータラインが連結する別の映像入力ラインが、互いに近い位置にあるということである。したがって、隣接し合うゾーンの間における映像入力ラインの荷重差があまり大きくならず、本発明によって映像画面のムラを改善することができる。
【００１１】
上記およびその他の目的を果たすため、本発明は、画質を改善する配線方法を提供する。この配線方法は、ディスプレイ装置に応用される。前記ディスプレイ装置は、複数個のピクセルと複数個の制御回路からなり、前記複数個のピクセルと前記複数個の制御回路は、複数個のゾーンに分かれる。また、各ゾーンにおける複数本のデータラインは、複数本の映像入力ラインに接続される。この配線方法の特徴は、前記複数個のゾーンにおいて隣接し合う前ゾーンと後ゾーンの間で、前ゾーンの前記データライン中、一番後ろの１本が連結する前記映像入力ライン中の１本が、後ゾーンの前記データライン中、一番前の１本が連結する前記映像入力ラインの別の１本と、互いに近い位置にあるということである。
【００１２】
本発明の比較的良好な実施例において、前記別の１本の映像入力ラインとこの映像入力ラインは互いに隣接する。
【００１３】
本発明の比較的良好な実施例において、前記データラインと前記映像入力ラインの数は、同じである。
【００１４】
本発明の比較的良好な実施例において、前記ゾーンの数は、前記ピクセルの数および前記映像入力ラインの数によって決まる。
【００１５】
本発明の比較的良好な実施例において、前記複数本の映像入力ラインは、特定用途向け集積回路に接続される。
【００１６】
本発明の比較的良好な実施例において、ディスプレイ装置は液晶ディスプレイである。また、前記液晶ディスプレイは、低温多結晶シリコン薄膜液晶ディスプレイ、または非晶質シリコン薄膜液晶ディスプレイである。
【００１７】
本発明は、さらに、画質を改善する配線方法を提供する。この配線方法は、複数個のピクセルと複数個の制御回路からなるディスプレイ装置に適用される。この配線方法では、まず、前記複数個のピクセルと前記複数個の制御回路を複数個のゾーンに分ける。なお、各ゾーンは、複数本のデータラインを含む。この後、各データラインをそれぞれ対応するデジタル映像入力ライン中の１本に接続する。ここで、前記複数個のゾーンのうち、隣接し合う前ゾーンと後ゾーンの間において、前ゾーンにおける一番後ろのデータラインが、前記映像入力ライン中の第一映像入力ラインと接続されるとき、後ゾーンにおける一番前のデータラインは、第一映像入力ライン付近の第二映像入力ラインに接続する必要がある。
【００１８】
本発明の比較的良好な実施例において、第二映像入力ラインは、第一映像入力ラインと隣接する。
【００１９】
上記をまとめると、本発明の特徴は、隣接し合う前ゾーンと後ゾーンの間において、前ゾーンにおける一番後ろのデータラインが連結する映像入力ラインと、後ゾーンにおける一番前のデータラインが連結する別の映像入力ラインが、互いに近い位置にあるということである。したがって、隣接し合うゾーン間の映像入力ラインの荷重差があまり大きくならないため、本発明により映像画面のムラが改善される。
【００２０】
本発明の上記およびその他の目的、特徴、長所を更に分かり易くするため、以下に比較的良好な実施例を挙げ、添付図と合わせながら詳細に説明する。
【００２１】
【発明の実施の形態】
図４を参照されたい。これは、本発明の比較的良好な実施例において、画質を改善する配線を示したものである。この配線は、低温多結晶シリコン（ＬＴＰＳ）薄膜液晶ディスプレイ、非晶質（α−Ｓｉ）薄膜液晶ディスプレイといった液晶ディスプレイに適用される。図４において、特定用途向け集積回路の映像入力ラインは合計ｎ本で、このディスプレイ装置は、複数個のピクセルと複数個の制御回路からなる。
【００２２】
続いて、図４を用いて本発明の画質を改善する配線方法を説明する。この配線方法において、まず、前記複数個のピクセルと前記複数個の制御回路を複数個のゾーンに分ける。図４においては、第１ゾーン４０２と第２ゾーン４０４のみ示されている。ここで、第１ゾーン４０２は、第１ゾーン・ピクセル４０６、第１制御回路４０８、およびｎ本（ｎ：正数）のデータライン４１０からなる。同様に、第２ゾーン４０４は、第２ゾーン・ピクセル４１２、第２制御回路４１４、およびｎ本のデータライン４１６からなる。また、ここで説明を要するのは、１／４共同中間フォーマット（ｑｕａｒｔｅｒ  ｃｏｍｍｏｎ  ｉｎｔｅｒｍｅｄｉａｔｅ  ｆｏｒｍａｔ、略称ＱＣＩＦ）について、映像入力ラインがｎ本のとき、ゾーンの数＝１７６×３／ｎとなり、このうち、１７６×３がピクセルの数になるということである。したがって、ゾーンの数は、ピクセルの数、および映像入力ラインの数によって決まる。
【００２３】
この後、第１ゾーン４０２と第２ゾーン４０４におけるｎ本のデータラインを、それぞれ対応するｎ本の映像入力ラインに接続する。ここで、説明を要するのは、第１ゾーン４０２と第２ゾーン４０４の間において、第１ゾーン４０２におけるｎ本目のデータラインが、ｎ本の映像入力ライン中の１本に接続されるとき、第２ゾーン４０４における１本目のデータラインをこの映像入力ラインに近い別の映像入力ラインに接続する必要があるということである。最も良いのは、この別の映像入力ラインがこの映像入力ラインと隣接しあうことであり、それによってより良好な画質を得ることができる。この比較的良好な実施例では、第１ゾーン４０２と第２ゾーン４０４の間において、第１ゾーン４０２におけるｎ本目のデータラインが２本目の映像入力ラインと接続され、第２ゾーン４０４における１本目のデータラインが２本目の映像入力ラインに隣接する１本目の映像入力ラインに接続される。結果として、第１ゾーン４０２におけるｎ本目のデータラインと２本目の映像入力ラインの交差回数（＝（ｎ−２）×２）と、第２ゾーン４０４における１本目のデータラインと１本目の映像入力ラインの交差回数（＝（ｎ−１）×２）の差が最小になる。したがって、隣接し合うゾーン間における映像入力ラインの荷重と交差容量の差がそれほど大きくならず、隣接し合うゾーン間における映像の間隙が著しく小さくなるため、画質を改善することができる。さらに説明を要するのは、第１ゾーン４０２におけるｎ本目のデータラインと第２ゾーン４０４における１本目のデータラインの配線方法については特に限定されるものの、第１ゾーン４０２と第２ゾーン４０４におけるその他のデータラインの配線については、対応する映像入力ラインに接続されさえすれば、各種態様を採用することができる。
【００２４】
続いて、図５を参照されたい。これは、本発明の別の比較的良好な実施例における画像改善のための配線を示したものである。図５において、特定用途向け集積回路に接続される映像入力ラインは合計ｎ本、このディスプレイは、複数個のピクセルと複数個の制御回路からなる。
【００２５】
次に、図５を用いて本発明の画質を改善する配線方法を説明する。この配線方法では、まず、前記複数個のピクセルと前記複数個の制御回路を複数個のゾーンに分ける。図５においては、このうちの第ｍゾーン５０２（ｍ：正数）と第（ｍ＋１）ゾーン５０４のみ示されている。ここで、第ｍゾーン５０２は、第ｍゾーン・ピクセル５０６、第ｍ制御回路５０８、およびｎ本（ｎ：正数）のデータライン５１０からなる。同様に、第（ｍ＋１）ゾーン５０４は、第（ｍ＋１）ゾーン・ピクセル５１２、第（ｍ＋１）制御回路５１４、およびｎ本のデータライン５１６からなる。
【００２６】
この後、第ｍゾーン５０２と第（ｍ＋１）ゾーン５０４におけるｎ本のデータラインの各本を、それぞれ対応するｎ本の映像入力ラインの各本に接続する。ここで、特に注意を要するのは、第ｍゾーン５０２と第（ｍ＋１）ゾーン５０４の間において、第ｍゾーン５０２におけるｎ本目のデータラインがｎ本の映像入力ライン中の１本と接続されるとき、第（ｍ＋１）ゾーン５０４における１本目のデータラインは、この映像入力ラインの近くに位置する別の映像入力ラインに接続する必要があるということである。最も良いのは、この別の映像入力ラインが、この映像入力ラインと互いに隣接していることであり、そうすることでより良好な画質を得ることができる。この比較的良好な実施例では、第ｍゾーン５０２と第（ｍ＋１）ゾーン５０４の間において、第ｍゾーン５０２におけるｎ本目のデータラインは、ｎ本目の映像入力ラインと接続され、第（ｍ＋１）ゾーン５０４における１本目のデータラインは、ｎ本目の映像入力ラインと隣接する（ｎ−１）本目の映像入力ラインに接続される。結果として、第ｍゾーン５０２におけるｎ本目のデータラインとｎ本目の映像入力ラインの交差回数（＝０）と、第（ｍ＋１）ゾーン５０４におけるｍ本目のデータラインとｍ本目の映像入力ラインの交差回数（＝２）の差が最小となるとため、隣接し合うゾーン間の映像入力ラインの荷重と交差容量があまり大きくならず、隣接し合うゾーン間の映像の間隙が著しく小さくなり、画質を改善することができる。さらに、説明を要するのは、第ｍゾーン５０２におけるｎ本目のデータラインと第（ｍ＋１）ゾーン５０４における１本目のデータラインの配線方式については、特に限定されるものの、第ｍゾーン５０２と第（ｍ＋１）ゾーン５０４におけるその他のデータラインの配線については、対応する映像入力ラインに接続されさえすれば、各種態様を採用することができる。
【００２７】
【発明の効果】
上記をまとめると、本発明の特徴は、隣接し合う前ゾーンと後ゾーンの間において、前ゾーンにおける一番後ろのデータラインが連結する映像入力ラインと、後ゾーンにおける一番前のデータラインが連結する別の映像入力ラインが、互いに近い位置にあることである。したがって、隣接し合うゾーン間の映像入力ラインの荷重差があまり大きくならないため、本発明により映像画面のムラが改善される。
【００２８】
本発明では、以上の比較的良好な実施例を開示しているが、これは、本発明を限定するために用いるものではない。本技術の当業者は、本発明の精神および範囲を逸脱することなく、各種の変更、修飾を加えることができるため、本発明の特許適用範囲については、後に添付する特許請求の範囲にしたがうものとする。
【図面の簡単な説明】
【図１】液晶ディスプレイの配線図である。
【図２】公知の１つの映像配線図である。
【図３】公知の別の映像配線図である。
【図４】本発明の１つの比較的良好な実施例において画像を改善する配線を示したものである。
【図５】本発明のもう１つの比較的良好な実施例において画像を改善する配線を示したものである。
【符号の説明】
１０：液晶ディスプレイ
１０２：データライン駆動回路
１０４：スキャンライン駆動回路
１０６、３１０、３１６、４１０、４１６、５１０、５１６：データライン
１０８：スキャンライン
１２：プリント回路板
１４：特定用途向け集積回路
１６：映像入力ライン
２０２：ピクセル
２０４：制御回路
３０２：第１ゾーン
３０４：第ｍゾーン
３０６：第１ゾーン・ピクセル
３０８：第１制御回路
３１２：第ｍゾーン・ピクセル
３１４：第ｍ制御回路
４０２：第１ゾーン
４０４：第２ゾーン
４０６：第１ゾーン・ピクセル
４０８：第１制御回路
４１２：第２ゾーン・ピクセル
４１４：第２制御回路
５０２：第ｍゾーン
５０４：第（ｍ＋１）ゾーン
５０６：第ｍゾーン・ピクセル
５０８：第ｍ制御回路
５１２：第（ｍ＋１）ゾーン・ピクセル
５１４：第（ｍ＋１）制御回路
【図１】
2004354687.tif 000003
【図２】
2004354687.tif 000004
【図３】
2004354687.tif 000005
【図４】
2004354687.tif 000006
【図５】
2004354687.tif 000007